(57)【要約】【課題】本発明が解決しようとする課題は、複数のメディアで決済処理を行ってもレシートの取り扱いが面倒にならない決済端末およびプログラムを提供することである。【解決手段】実施形態の決済端末は、決済処理を行う決済金額の入力を受け付ける入力受付手段と、一または複数のメディアを使用して、決済処理を実行する決済手段と、前記決済手段が決済処理した決済処理金額を記憶する記憶手段と、前記決済処理金額の合計が前記決済金額に到達したことを条件に、記憶された前記決済処理金額を含む決済情報を印字したレシートを発行する発行手段と、を備える。【選択図】図９
2018045408.tif 000002
【特許請求の範囲】
【請求項１】
決済処理を行う決済金額の入力を受け付ける入力受付手段と、
一または複数のメディアを使用して、決済処理を実行する決済手段と、
前記決済手段が決済処理した決済処理金額を記憶する記憶手段と、
前記決済処理金額の合計が前記決済金額に到達したことを条件に、記憶された前記決済処理金額を含む決済情報を印字したレシートを発行する発行手段と、
を備えた決済端末。
【請求項２】
複数の前記メディアから選択された一つのメディアの種類を受け付けるメディア受付手段、
をさらに備え、
前記決済手段は、前記受け付けたメディアの種類での決済処理を実行する、
請求項１に記載の決済端末。
【請求項３】
前記記憶手段は、決済処理したメディアの種類と当該メディアで決済処理した決済処理金額とを対応付けて記憶し、
前記発行手段は、対応付けられた前記メディアの種類と前記決済処理金額とを関連付けて印字する、
請求項２に記載の決済端末。
【請求項４】
前記入力受付手段は、販売データ処理装置で生成された前記決済金額を受け付ける、
請求項１乃至３のいずれか一に記載の決済端末。
【請求項５】
数値を置数するためのキーボード、
をさらに備え、
前記入力受付手段は、置数された前記決済金額を受け付ける、
請求項１乃至３のいずれか一に記載の決済端末。
【請求項６】
コンピュータを、
決済処理を行う決済金額の入力を受け付ける入力受付手段と、
一または複数のメディアを使用して、決済処理を実行する決済手段と、
前記決済手段が決済処理した決済処理金額を記憶する記憶手段と、
前記決済処理金額の合計が前記決済金額に到達したことを条件に、記憶された前記決済処理金額を含む決済情報を印字したレシートを発行する発行手段と、
して機能させるためのプログラム。
【発明の詳細な説明】
【技術分野】
【０００１】
本発明の実施形態は、決済端末およびプログラムに関する。
【背景技術】
【０００２】
従来から、クレジットカード、電子マネーカード、デビットカード等のメディアで決済処理を実行する決済端末が存在する。決済端末にＰＯＳ（Point  of  Sales）端末が接続されている場合は、決済端末は、ＰＯＳ端末から受信した決済金額情報に基づいてクレジット決済処理や電子マネー決済処理を実行する。決済端末にＰＯＳ端末が接続されていない場合は、決済端末は、置数した決済金額に基づいて決済処理を実行する。
【０００３】
このような決済端末は、決済処理した決済情報を印字したレシートを発行している。例えば、クレジットカードによる決済処理と電子マネーカードによる決済処理を実行した場合、クレジットカードでの決済処理に係るレシートを発行し、さらに、電子マネーカードによる決済処理に係るレシートを発行していた。すなわち、複数のメディアによる決済処理を実行すると、決済処理毎に個別のレシートが発行されていた。
【０００４】
そのため、決済端末の操作者は、決済処理をする度に客にレシートを渡す必要があり面倒であった。また客は、複数枚のレシートを受け取らなければならず、受取りが面倒になるばかりか、受け取ったレシートの取り扱いが煩雑となった。さらに、決済端末は、レシートを発行する度に店舗のロゴマークを印字するため、無駄にレシート用紙を使用していた。
【発明の概要】
【発明が解決しようとする課題】
【０００５】
本発明が解決しようとする課題は、複数のメディアで決済処理を行ってもレシートの取り扱いが面倒にならない決済端末およびプログラムを提供することである。
【課題を解決するための手段】
【０００６】
実施形態の決済端末は、決済処理を行う決済金額の入力を受け付ける入力受付手段と、一または複数のメディアを使用して、決済処理を実行する決済手段と、前記決済手段が決済処理した決済処理金額を記憶する記憶手段と、前記決済処理金額の合計が前記決済金額に到達したことを条件に、記憶された前記決済処理金額を含む決済情報を印字したレシートを発行する発行手段と、を備える。
【図面の簡単な説明】
【０００７】
【図１】図１は、実施形態のＰＯＳシステムの構成を示す図である。
【図２】図２は、決済端末の外観を示す斜視図である。
【図３】図３は、ＰＯＳ端末のハードウェア構成を示すブロック図である。
【図４】図４は、決済端末のハードウェア構成を示すブロック図である。
【図５】図５は、決済端末のメモリの一部を示すメモリマップである。
【図６】図６は、決済端末の表示の一例を示す図である。
【図７】図７は、ＰＯＳ端末の制御処理の流れを示すフローチャートである。
【図８】図８は、決済端末の機能構成を示す機能ブロック図である。
【図９】図９は、決済端末の制御処理の流れを示すフローチャートである。
【図１０】図１０は、決済端末が印字したレシートの一例を示す図である。
【発明を実施するための形態】
【０００８】
以下、添付図面を参照して、決済端末およびプログラムの実施形態を詳細に説明する。実施形態では、ＰＯＳ端末を販売データ処理装置の一例として説明する。なお、以下に説明する実施形態は、決済端末及びプログラムの一実施形態であって、その構成や仕様等を限定するものではない。本実施形態は、スーパーマーケット等の店舗に導入された、ＰＯＳ端末で売上登録処理された商品の決済処理を行う決済端末への適用例である。また、実施形態では、ＰＯＳ端末と接続された決済端末として説明するが、ＰＯＳ端末と接続されない決済端末であってもよい。
【０００９】
図１は、本実施形態に係るＰＯＳシステム１の構成を示す図である。図１に示すように、ＰＯＳシステム１は、ＰＯＳ端末２と決済端末３と電子マネー端末４とサーバ５と駐車管理装置６を備える。決済端末３は、通信回線Ｔ１を介してＰＯＳ端末２と通信可能に接続される。また、決済端末３は、通信回線Ｔ２を介してクレジット会社や銀行等に設置されたサーバと相互に通信可能なサーバ５と接続される。また、決済端末３は、通信回線Ｔ３を介して駐車管理装置６と通信可能に接続される。また、決済端末３は、通信回線Ｔ４を介して電子マネー端末４と通信可能に接続している。
【００１０】
決済端末３は、ＩＣカードや磁気カード等で構成される各種カード（ポイントカード、クレジットカード、デビットカード等）からカード情報を読み出して、サーバ５を介してカード会社や銀行のサーバと通信することでカードによる決済処理を実行する。
【００１１】
電子マネー端末４は、電子的に金銭情報を記憶した非接触型の電子マネーカードに対し、ＮＦＣ（Near  Field  Communication）等の近距離無線通信技術を用いてアクセスし、カードに記憶された決済可能な金額（以降「カード金額」という）を用いて決済処理を実行する端末である。電子マネー端末４は、電子マネーカードからカード金額を読み出して、決済端末３に送信する。決済端末３は、電子マネー端末４から受信した電子マネー情報に基づいて、決済処理を実行する。
【００１２】
決済端末３は、ポイントを蓄積するポイントカードからポイント情報を読み出して、ポイントを使用した決済処理を実行する。なお、決済端末３は、ポイントカードに記憶された顧客特定情報に基づいて、図示しないポイントサーバから当該顧客のポイントを取得して、ポイントを使用した決済処理を実行するようにしてもよい。
【００１３】
ＰＯＳ端末２は、顧客が購入する商品の売上登録処理を行う装置である。売上登録処理とは、商品を特定する商品コードに基づいて当該商品の商品名や価格（総称して「商品情報」という）を商品マスタから読み出して表示するとともに、読み出した商品情報を記憶する処理をいう。顧客との取引を終了する場合は、記憶した商品情報に基づいて顧客が購入した合計金額を算出し、税額を上乗せした顧客の支払金額を算出する。すべての支払いを現金以外のメディアで決済する場合は、ＰＯＳ端末２は、上記支払金額を決済金額として生成して、通信回線Ｔ１を介して決済端末３に送信する。また、一部を現金で支払い、残りを現金以外のメディアで決済する場合は、ＰＯＳ端末２は、上記支払金額から現金で支払った額を減額した決済金額を生成して、当該決済金額を通信回線Ｔ１を介して決済端末３に送信する。
【００１４】
ＰＯＳ端末２は、図１に示すように、本体２１の上部に、店員用の表示部２２と客用の表示部２３とを備えている。各表示部２２、２３は、ＬＣＤ（Liquid  Crystal  Display）あるいはタッチパネルを表面に配設したＬＣＤによって構成され、商品名や商品の金額、一取引の合計金額等を表示する。また、本体２１の上面には、キーボード２４が配設されており、現金決済又は他のメディアでの決済等の決済方法を選択する現金決済キーやカード決済キー等が設けられている。さらに、本体２１の内部にはレシート等を印刷するプリンタ２５が設けられている。プリンタ２５によって印刷されたレシート用紙は、本体２１の上部に設けられたレシート発行口２６から発行される。レシート発行口２６は、売上登録した商品の商品情報を印字したレシートを発行する。
【００１５】
サーバ５は、決済端末３からの決済処理の認証要求に対し、例えばカードのネガティブチェック等のチェックを行い、その後、認証を実行するためのコマンドを決済端末３に送信する。サーバ５は、決済端末３が決済処理をしようとしているメディアでの決済が可能か否かを、カード会社や銀行に問い合わせる。サーバ５は、決済端末３が決済処理した決済情報を、カード会社や銀行に設置されたサーバに送信する。
【００１６】
次に、決済端末３について詳細に説明する。図２は、決済端末３の外観を示す図である。図２に示すように、決済端末３の本体３１の側部には電源スイッチ３６が設けられている。また、本体３１の上部には、本体３１に対して開閉可能な上面パネル３７が設けられている。上面パネル３７を開放することで、本体３１の内部にロール状のレシート用紙をセットすることができる。また、この上面パネル３７の表面には、操作部３３であるタッチパネルを表面に配設した表示部３２が設けられている。
【００１７】
本体３１の側面上部には、決済用のカードから当該カードに格納されている情報を磁気的に読み取るカード読取部３４が設けられている。決済用のカードとしては、例えば、クレジットカードやデビットカードやポイントカード等を用いることができる。なお、カード読取部３４は、挿入されたカードに内蔵されたＩＣチップと電気的に接触して、カード（ＩＣチップ）に記憶された情報を電気的に読み取る構成であってもよい。
【００１８】
本体３１の内部には、上述のレシート用紙に決済に関する情報や売上レポート等を印字する印字部５７（図４参照）が備えられている。印字後のレシート用紙は、本体３１と上面パネル３７との間に設けられているレシート発行口３５から発行される。
【００１９】
続いて、図３のブロック図を用いて、ＰＯＳ端末２のハードウェア構成について説明する。図３に示すように、ＰＯＳ端末２は、制御主体となるＣＰＵ（Central  Processing  Unit）６１を備える。ＰＯＳ端末２は、各種プログラムを記憶するＲＯＭ（Read  Only  Memory）６２を備える。またＰＯＳ端末２は、ＣＰＵ６１のワークエリアとして機能するＲＡＭ（Random  Access  Memory）６３を備える。またＰＯＳ端末２は、各種プログラムを記憶するＨＤＤ（Hard  Disc  Drive）やフラッシュメモリ等で構成されたメモリ部６４等を備える。ＣＰＵ６１、ＲＯＭ６２、ＲＡＭ６３、メモリ部６４は、互いにデータバス６５を介して接続されている。
【００２０】
ＣＰＵ６１、ＲＯＭ６２、ＲＡＭ６３は、制御部６００を構成する。制御部６００は、ＣＰＵ６１が、メモリ部６４の制御プログラム部６４１に記憶されＲＡＭ６３に展開された制御プログラムに従って動作することによって、後述する制御処理を実行する。
【００２１】
ＲＡＭ６３は、各種データも記憶する。ＲＡＭ６３は、商品情報部６３１を備える。商品情報部６３１は、ＰＯＳ端末２で売上登録処理した商品の商品情報を記憶する。
【００２２】
メモリ部６４は、制御プログラム部６４１、商品マスタ６４２を備える。制御プログラム部６４１は、ＰＯＳ端末２を制御するプログラムを記憶する。商品マスタ６４２は、商品を特定する商品コード毎に商品情報（商品名、価格等）を記憶する。
【００２３】
制御部６００は、データバス６５およびコントローラ６６を介して、締めキー６７１を備えた操作部６７、表示部２２、表示部２３、キーボード２４、プリンタ２５と接続している。締めキー６７１は、取引の決済処理を実行する際に操作する。また、制御部６００は、データバス６５を介して、通信Ｉ／Ｆ（Interface）２７を制御部６００に接続しており、通信Ｉ／Ｆ２７は通信回線Ｔ１を介して決済端末３と接続している。
【００２４】
図４は、決済端末３のハードウェア構成を示すブロック図である。図４において、決済端末３は、各部を制御するための制御部１００を備えている。制御部１００は、図４に示すように、各部を集中的に制御するＣＰＵ５１に、アドレスバス、データバス等のバスライン５５を介して、ＲＯＭ５２と、ＲＡＭ５３とを接続して構成されている。また、制御部１００には、メモリ部５４とコントローラ５６が、バスライン５５を介して接続されている。制御部１００は、ＣＰＵ５１が、メモリ部５４に記憶されＲＡＭ５３に展開された制御プログラム５４１に従って動作することによって、後述する制御処理を実行する。
【００２５】
メモリ部５４は、電源を切っても記憶情報が保持されるフラッシュメモリ等の不揮発性メモリであって、制御プログラム５４１を含むプログラム等を記憶する。またメモリ部５４は、図５で示す記憶部５４２を記憶する。また、ＲＡＭ５３は、メモリ部５４から読み出した情報を一時的に記憶する。
【００２６】
また、コントローラ５６は、表示部３２、操作部３３と接続している。コントローラ５６は、制御部１００からの指令に基づいて各種制御を実行する。表示部３２は、キーの画像を含む各種情報を表示する。操作部３３は、表示部３２上に設けられたタッチパネルであり、表示部３２に表示された例えば数値を入力する置数キー等のキーに対応する位置のタッチパネルをタッチすることで、各種のキー操作を実行する。
【００２７】
また、コントローラ５６は、印字部５７とカード読取部３４を接続している。印字部５７は、本体３１の内部に収納したレシート用紙の先端を引き出して、例えばサーマルヘッドを使用して商品情報や決済情報等をレシート用紙に印字する。カード読取部３４は、磁気的あるいは電気的に決済カードに記憶されているカード情報を読み取る。
【００２８】
また、バスライン５５は、通信Ｉ／Ｆ５９、６０、６１、６２を接続している。通信Ｉ／Ｆ５９は、通信回線Ｔ１を介してＰＯＳ端末２と接続している。通信Ｉ／Ｆ６０は、通信回線Ｔ４を介して電子マネー端末４と接続している。通信Ｉ／Ｆ６１は、通信回線Ｔ２を介してサーバ５と接続している。通信Ｉ／Ｆ６２は、通信回線Ｔ３を介して駐車管理装置６と接続している。決済端末３は、各通信Ｉ／Ｆ５９、６０、６１、６２を介して、ＰＯＳ端末２や電子マネー端末４やサーバ５や駐車管理装置６と情報の送受信を行う。
【００２９】
駐車管理装置６は、駐車場に入庫した車の入庫時刻を記憶した駐車券を発行する。
【００３０】
図５は、決済端末３のメモリ部５４の記憶部５４２を示すメモリマップである。図５において、記憶部５４２は、決済金額部５４２１、決済処理金額部５４２２、駐車料金部５４２３を備える。
【００３１】
決済金額部５４２１は、ＰＯＳ端末２から受信した決済金額を記憶する。決済処理金額部５４２２は、メディアで決済処理された金額（ポイント数を含む）を、決済処理したメディアの種類に対応付けて記憶する。駐車料金部５４２３は、後述する算出された駐車料金を記憶する。
【００３２】
次に、図６を用いて、表示部３２に表示されるメディアを選択するための選択画面について説明する。図６において、表示部３２は、チャージキー８４を含む業務の種類を示す業務キー８１、８２、８３、８４、８５を表示する。チャージキー８４は、電子マネー決済において、カードに金額をチャージするためにカード金額を更新する場合に使用する。また表示部３２は、決済するメディアの種類をエリア９１に表示する。図６の例では、エリア９１に、クレジット決済部８６、デビット決済部８７、ポイント決済部８８、電子マネー決済部８９の４種類のメディアの決済ボタンを表示している。クレジット決済部８６は、クレジットカードで決済する場合に操作する。デビット決済部８７は、デビットカードで決済する場合に操作する。ポイント決済部８８は、ポイントを使用した決済をする場合に操作する。電子マネー決済部８９は、電子マネーカードで決済する場合に操作する。
【００３３】
ここで、メモリ部５４は、クレジット決済処理プログラム、デビット決済処理プログラム、ポイント決済処理プログラム、電子マネー決済処理プログラムの４種類の決済処理プログラムを記憶している。クレジット決済処理プログラムは、クレジット決済部８６が操作されたときに起動するプログラムである。デビット決済処理プログラムは、デビット決済部８７が操作されたときに起動するプログラムである。ポイント決済処理プログラムは、ポイント決済部８８が操作されたときに起動するプログラムである。電子マネー決済処理プログラムは、電子マネー決済部８９が操作されたときに起動するプログラムである。
【００３４】
なお、参照番号９０は、ＰＯＳ端末２が決済端末３に接続されている場合に表示される。また、上記のメディアは一例として実施形態に使用したものであり、上記メディアに限らず他のメディアであってもよい。
【００３５】
ここからは、実施形態に係るＰＯＳ端末２の制御について説明する。図７は、ＰＯＳ端末の制御処理の流れを示すフローチャートである。図７において、制御部６００は、商品コードを取得したか否かを判断する（Ｓ７１）。商品コードは、商品に付されているコードシンボルを読み取って取得する。商品コードを取得したと判断した場合には（Ｓ７１のＹｅｓ）、制御部６００は、取得した商品コードに基づいて商品マスタ６４２から商品情報を読み出す。そして制御部６００は、読み出した商品情報に基づいて当該商品の売上登録処理を実行し、商品情報を商品情報部６３１に記憶する（Ｓ７２）。そして制御部６００は、Ｓ７１に戻る。
【００３６】
また、商品コードを取得していないと判断した場合には（Ｓ７１のＮｏ）、制御部６００は、締めキー６７１が操作されたか否かを判断する（Ｓ７３）。締めキー６７１が操作されたと判断した場合には（Ｓ７３のＹｅｓ）、制御部６００は、商品情報部６３１に記憶されている商品情報に基づいて当該取引に係る決済処理を実行する（Ｓ７４）。この決済処理において、当該取引に係る決済金額を算出する。そして制御部６００は、算出した決済金額を決済端末３に送信する（Ｓ７５）。そして制御部６００は、Ｓ７１に戻る。なお、締めキー６７１は操作されていないと判断した場合には（Ｓ７３のＮｏ）、制御部６００はＳ７１に戻る。
【００３７】
ここからは、図８〜図１０を用いて、実施形態の決済端末３の制御について説明する。図８は、決済端末３の機能構成を示す機能ブロック図である。決済端末３は、制御部１００がメモリ部５４に記憶された制御プログラム５４１等のプログラムに従い動作することで、入力受付手段１０１、決済手段１０２、記憶手段１０３、発行手段１０４、メディア受付手段１０５として機能する。
【００３８】
入力受付手段１０１は、決済処理を行う決済金額の入力を受け付ける機能を有する。
【００３９】
決済手段１０２は、一または複数のメディアを使用して、決済処理を実行する機能を有する。
【００４０】
記憶手段１０３は、決済手段１０２が決済処理した決済処理金額を記憶する機能を有する。
【００４１】
発行手段１０４は、決済処理金額の合計が決済金額に到達したことを条件に、記憶された決済処理金額を含む決済情報を印字したレシートを発行する機能を有する。
【００４２】
メディア受付手段１０５は、複数のメディアから選択された一つのメディアを受け付ける機能を有する。
【００４３】
図９は、決済端末３の制御処理の流れを示すフローチャートである。ＰＯＳ端末２は、支払金額に基づく決済金額を算出して、決済端末３に送信する。図９において、制御部１００（入力受付手段１０１）は、決済金額が入力されたか否かを判断する（Ｓ１１）。具体的には、制御部１００は、ＰＯＳ端末２から決済金額を受信したか否かを判断する。決済金額が入力されるまで待機する（Ｓ１１のＮｏ）。決済金額が入力されたと判断した場合には（Ｓ１１のＹｅｓ）、制御部１００は、入力された決済金額を決済金額部５４２１に記憶する（Ｓ１２）。そして制御部１００は、表示部３２に、図６に示すメディアを選択するための選択画面を表示する（Ｓ１３）。
【００４４】
決済端末３の操作者は、顧客から決済に用いるメディアを聞いて、該当するメディアのボタンを操作する。まず制御部１００（メディア受付手段１０５）は、ポイント決済部８８が選択されて操作されたか否かを判断する（Ｓ２１）。ポイント決済部８８が操作されたと判断した場合には（Ｓ２１のＹｅｓ）、制御部１００は、顧客から申し出があった、今回の決済に使用するポイント数を操作部３３を用いて入力する（Ｓ２２）。続いて制御部１００は、入力されたポイント数についての照会処理を実行する（Ｓ２３）。すなわち、制御部１００は、入力されたポイント数と、カード読取部３４を走査されたポイントカードに記憶されているポイント数を照会する。次に制御部１００は、入力されたポイント数とポイントカードに記憶されているポイントとを数比較して、入力されたポイント数がポイントカードに記憶されているポイント数以下であるか否かを判断する（Ｓ２４）。
【００４５】
入力されたポイント数がポイントカードに記憶されているポイント数以下であると判断した場合には（Ｓ２４のＹｅｓ）、制御部１００（決済手段１０２）は、ポイントカードに記憶されているポイント数から入力されたポイント数を減算処理する決済処理を実行する（Ｓ２５）。そして制御部１００（記憶手段１０３）は、入力されたポイント数を決済に使用したポイント数（決済処理金額）として決済処理金額部５４２２に記憶する（Ｓ６１）。この際、制御部１００は、決済処理金額と決済処理したメディア（ポイントカード）とを対応付けて記憶する。
【００４６】
また、Ｓ２４において、入力されたポイント数がポイントカードに記憶されているポイント数より大きいと判断した場合には（Ｓ２４のＮｏ）、制御部１００は、エラー処理を実行する（Ｓ２６）。そして制御部１００は、Ｓ２１に戻る。
【００４７】
一方、ポイント決済部８８は操作されていないと判断した場合には（Ｓ２１のＮｏ）、制御部１００（メディア受付手段１０５）は、クレジット決済部８６が選択されて操作されたか否かを判断する（Ｓ３１）。クレジット決済部８６が操作されたと判断した場合には（Ｓ３１のＹｅｓ）、制御部１００は、顧客から申し出があったクレジットカードで決済する金額を操作部３３を用いて入力する（Ｓ３２）。続いて制御部１００は、入力された金額についての照会処理を実行する（Ｓ３３）。すなわち、制御部１００は、入力された金額でクレジットカードによる決済処理が可能であるかを、クレジット会社に照会する。次に制御部１００は、照会に対する応答に基づいて、入力された金額でのクレジットカードによる決済処理が可能であるか否かを判断する（Ｓ３４）。
【００４８】
クレジットカードによる決済処理が可能であると判断した場合には（Ｓ３４のＹｅｓ）、制御部１００（決済手段１０２）は、入力された金額に基づいてクレジットカードによる決済処理を実行する（Ｓ３５）。そして制御部１００（記憶手段１０３）は、決済処理された金額（決済処理金額）を決済処理金額部５４２２に記憶する（Ｓ６１）。この際、制御部１００は、決済処理金額と決済処理したメディア（クレジットカード）とを対応付けて記憶する。
【００４９】
また、Ｓ３４において、入力された金額に基づいてクレジット決済処理が不可であると判断した場合には（Ｓ３４のＮｏ）、制御部１００は、エラー処理を実行する（Ｓ２６）。そして制御部１００は、Ｓ２１に戻る。
【００５０】
一方、クレジット決済部８６は操作されていないと判断した場合には（Ｓ３１のＮｏ）、制御部１００（メディア受付手段１０５）は、電子マネー決済部８９が選択されて操作されたか否かを判断する（Ｓ４１）。電子マネー決済部８９が操作されたと判断した場合には（Ｓ４１のＹｅｓ）、制御部１００は、顧客から申し出があった電子マネーで決済する金額を操作部３３を用いて入力する（Ｓ４２）。続いて制御部１００は、入力された金額についての照会処理を実行する（Ｓ４３）。すなわち、制御部１００は、電子マネー端末４上に載置された電子マネーカードから、チャージされているカード金額を照会する。次に制御部１００は、入力された金額とカード金額とを比較して、電子マネーカードでの決済処理が可能であるか否かを判断する（Ｓ４４）。チャージされているカード金額が入力された金額以上である場合に、制御部１００は、電子マネーカードでの決済処理が可能であると判断する。
【００５１】
電子マネーカードでの決済処理が可能であると判断した場合には（Ｓ４４のＹｅｓ）、制御部１００（決済手段１０２）は、チャージされているカード金額から入力された金額を減算する電子マネー決済処理を実行する（Ｓ４５）。そして制御部１００（記憶手段１０３）は、電子マネー決済処理された金額（決済処理金額）を決済処理金額部５４２２に記憶する（Ｓ６１）。この際、制御部１００は、決済処理金額と決済処理したメディア（電子マネーカード）とを対応付けて記憶する。
【００５２】
また、Ｓ４４において、入力された金額に基づいて電子マネーでの決済処理が不可であると判断した場合には（Ｓ４４のＮｏ）、制御部１００は、エラー処理を実行する（Ｓ２６）。そして制御部１００は、Ｓ２１に戻る。
【００５３】
一方、電子マネー決済部８９は操作されていないと判断した場合には（Ｓ４１のＮｏ）、制御部１００（メディア受付手段１０５）は、デビット決済部８７が選択されて操作されたか否かを判断する（Ｓ５１）。デビット決済部８７が操作されたと判断した場合には（Ｓ５１のＹｅｓ）、制御部１００は、顧客から申し出があったデビットカードで決済する金額を操作部３３を用いて入力する（Ｓ５２）。続いて制御部１００は、入力された金額についての照会処理を実行する（Ｓ５３）。すなわち、制御部１００は、入力された金額でデビットカードでの処理が可能であるかを、銀行に照会する。次に制御部１００は、照会に対する応答に基づいて、入力された金額でのデビットカードでの決済処理が可能であるか否かを判断する（Ｓ５４）。
【００５４】
デビットカードでの決済処理が可能であると判断した場合には（Ｓ５４のＹｅｓ）、制御部１００（決済手段１０２）は、入力された金額に基づいてデビット決済処理を実行する（Ｓ５５）。そして制御部１００（記憶手段１０３）は、デビット決済処理された金額（決済処理金額）を決済処理金額部５４２２に記憶する（Ｓ６１）。この際、制御部１００は、決済処理金額と決済処理したメディア（デビットカード）とを対応付けて記憶する。
【００５５】
また、Ｓ５４において、入力された金額に基づいてデビット決済処理が不可であると判断した場合には（Ｓ５４のＮｏ）、制御部１００は、エラー処理を実行する（Ｓ２６）。そして制御部１００は、Ｓ２１に戻る。
【００５６】
Ｓ６１の処理後、制御部１００は、決済金額部５４２１に記憶された決済金額と決済処理金額部５４２２に記憶された決済処理金額の合計額とを比較して、決済処理が終了したか否かを判断する（Ｓ６２）。決済処理金額の合計額が決済金額に到達した場合に、制御部１００は、決済処理が終了したと判断する。決済処理金額が決済金額に到達していない（すなわち、決済処理金額が決済金額より少ない）場合は、制御部１００は、決済処理は終了していないと判断する。なお、決済処理は終了していないと判断した場合には（Ｓ６２のＮｏ）、制御部１００は、Ｓ２１に戻り、更なる決済処理を実行する。
【００５７】
決済処理が終了したと判断した場合には（Ｓ６２のＹｅｓ）、制御部１００は、決済処理した金額に応じたポイントを付与する（Ｓ６３）。次に制御部１００は、決済処理された金額をメモリ部５４に記憶するメモリ処理を実行する（Ｓ６４）。
【００５８】
次に制御部１００は、駐車券がカード読取部３４を走査されたか否かを判断する（Ｓ６５）。駐車券を所持している顧客は、操作者に対して、駐車券の処理を要求する。駐車券の処理とは、入庫時刻から決済処理が終了する時刻によって求められる駐車料金から、決済処理した金額に応じた値引きを行う処理をいう。駐車券を渡された操作者は、駐車券を走査する。駐車券が走査されたと判断した場合には（Ｓ６５のＹｅｓ）、制御部１００は、駐車券から読み出した入庫時刻と決済処理が終了した時刻とに基づいて駐車料金を算出し、さらに決済処理した金額に基づいて駐車料金を値引く駐車料金処理を実行する（Ｓ６６）。このようにして算出された駐車料金は駐車券に記憶される。顧客は、駐車場を出庫する際に駐車券を駐車管理装置６に挿入する。駐車管理装置６は駐車券に記憶されている駐車料金を表示する。駐車管理装置６は、駐車料金が支払われたら遮断していたゲートを開放する。
【００５９】
なお、駐車券がカード読取部３４を走査されていないと判断した場合には（Ｓ６５のＮｏ）、制御部１００はＳ６７の処理を実行する。また、Ｓ５１において、デビット決済部８７は操作されていないと判断した場合には（Ｓ５１のＮｏ）、制御部１００はＳ２１に戻る。
【００６０】
次に制御部１００（発行手段１０４）は、決済処理金額部５４２２に記憶された決済処理金額に基づいて、決済端末３が決済処理した決済処理金額を含む決済情報を、印字部５７を用いてレシート用紙に印字して、レシート発行口３５からレシートとして発行する（Ｓ６７）。すなわち、複数のメディアで決済を行った場合は、Ｓ６２において決済処理が終了したと判断したことを条件に、決済処理したすべての決済情報を印字したレシートを発行する。なお、決済処理したメディアの種類と決済処理金額とを含む決済情報を、通信回線Ｔ１を介してＰＯＳ端末２に送信する。ＰＯＳ端末２は、商品情報と決済情報を印字部５７で印字したレシートを発行する。
【００６１】
図１０は、制御部１００が決済処理した決済金額に係るレシートＲの一例を示す。図１０において、レシートＲは、店名ロゴ部Ｒ１、日付Ｒ２、決済事項Ｒ３、合計金額部Ｒ６、駐車料金Ｒ７、端末番号Ｒ８を印字する。店名ロゴ部Ｒ１は、店名を示すロゴである。日付Ｒ２は、決済処理した日時である。
【００６２】
決済事項Ｒ３は、決済処理したメディア別に、当該メディアの種類と当該メディアで決済処理をした決済処理金額である。図１０の例の場合、決済処理したメディアであるポイントカードとポイントカードによる決済処理金額Ｒ３１、決済処理したメディアであるクレジットカードとクレジットカードによる決済処理金額Ｒ３２、決済処理したメディアである電子マネーカードと電子マネーカードによる決済処理金額Ｒ３３である。この場合、Ｒ３１において、ポイントカードとポイントカードによる決済処理金額は関連付けて印字される。また、Ｒ３２において、クレジットカードとクレジットカードによる決済処理金額は関連付けて印字される。また、Ｒ３３において、電子マネーカードと電子マネーカードによる決済処理金額は関連付けて印字される。
【００６３】
合計金額部Ｒ６は、決済処理金額の合計額である。また、駐車料金Ｒ７は、駐車料金処理された駐車料金である。端末番号Ｒ８は、決済処理した端末を特定する端末番号である。
【００６４】
このような実施形態では、決済端末３は、決済処理金額が決済金額に等しくなるまで決済情報を印字したレシートを発行しない。そして決済処理金額が決済金額に等しくなったことを条件に、決済情報を印字した１枚のレシートを発行する。そのため、複数のメディアで決済処理を行ってもレシートの取り扱いが面倒にならない。
【００６５】
なお、実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００６６】
例えば、実施形態では、決済端末３はＰＯＳ端末２と別体として説明したが、両者の筐体が一体であってもよい。また、決済端末３と電子マネー端末４とが一体であってもよい。
【００６７】
また、実施形態では、ＰＯＳ端末２が送信した決済金額を決済端末３が受信するようにしたが、決済端末３において、操作部３３から決済金額を置数して入力するようにしてもよい。
【００６８】
実施形態の決済端末３で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００６９】
また、実施形態の決済端末３で実行されるプログラムを、インターネット等のネットワークに接続されたコンピュータ上に格納し、ネットワーク経由でダウンロードさせることにより提供するように構成してもよい。また、決済端末３で実行されるプログラムをインターネット等のネットワーク経由で提供または配布するように構成してもよい。
【００７０】
また、実施形態の決済端末３で実行されるプログラムを、ＲＯＭ等に予め組み込んで提供するように構成してもよい。
【符号の説明】
【００７１】
２      ＰＯＳ端末
３      決済端末
４      電子マネー端末
５      サーバ
６      駐車管理装置
１００  制御部
１０１  入力受付手段
１０２  決済手段
１０３  記憶手段
１０４  発行手段
１０５  メディア受付手段
５４２  記憶部
Ｒ      レシート
【先行技術文献】
【特許文献】
【００７２】
【特許文献１】特開２０１５−０３２０２２号公報
【図１】
2018045408.tif 000003
【図２】
2018045408.tif 000004
【図３】
2018045408.tif 000005
【図４】
2018045408.tif 000006
【図５】
2018045408.tif 000007
【図６】
2018045408.tif 000008
【図７】
2018045408.tif 000009
【図８】
2018045408.tif 000010
【図９】
2018045408.tif 000011
【図１０】
2018045408.tif 000012